【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
被服に開口した機材取付け用穴と、
前記機材取付け用穴の周縁を覆う、平状の環状補強材であって、前記被服の外側に位置する第１補強環と、内縁を折り返し縁として前記第１補強環と連続する、前記被服の内側に位置する第２補強環と、前記第１補強環の外周部が前記第２補強環側に折り込まれた第３補強環と、前記第２補強環の外周部が前記第１補強環側に折り込まれた第４補強環と、からなる前記環状補強材と、
前記第３補強環と前記第４補強環との間に、前記機材取付け用穴を囲むように配置されるリング板と、
を有することを特徴とする機材の被服布地への取付け構造。
【請求項２】
請求項１に記載の機材の被服布地への取付け構造であって、さらに
前記機材取付け用穴が開口する前記被服の領域は、表地材と裏地材とを重ねた領域であって、
前記機材取付け用穴の周縁に沿って前記表地材と前記裏地材とを縫い付けた縫製線とを有し、
前記リング板は、前記縫製線の外側を囲むように、前記表地材と前記裏地材との間に配置したことを特徴とする機材の被服布地への取付け構造。
【請求項３】
請求項２に記載の機材の被服布地への取付け構造であって、
前記リング板は、前記表地材と前記裏地材に一体に縫製されていることを特徴とする機材の被服布地への取付け構造。
【請求項４】
請求項２または請求項３に記載の機材の被服布地への取付け構造であって、
前記機材取付け用穴に取り付ける機材は、第１係合面を有する本体と、前記本体に着脱可能であって、第２係合面を有する係合部材とを有し、
前記本体または前記係合部材の一方は、前記表地材側から前記機材取付け用穴へ嵌入され、前記本体または前記係合部材の他方は、前記裏地材側から前記機材取付け用穴へ嵌入された状態で、前記本体と前記係合部材とを結合させることで、前記第１係合面及び前記第２係合面が前記表地材と前記裏地材を挟持することを特徴とする機材の被服布地への取付け構造。
【請求項５】
請求項４に記載の機材の被服布地への取付け構造であって、前記機材は、冷却ファンであることを特徴とする機材の被服布地への取付け構造。
【請求項６】
被服の機材取付け用穴の環状補強材の製造方法であって、
長手方向に平行な少なくとも第１帯、第２帯を有し、前記第１帯と前記第２帯が対向するように折り畳まれた帯体を用い、
前記帯体を一端と他端を、前記第１帯及び前記第２帯が開いた状態で連結して環状体を形成する第１工程と、
一端が折り返し縁、他端が開放縁となるように、前記第１帯及び前記第２帯を合わせるように前記環状体を折り畳む第２工程と、
前記環状体の前記開放縁を拡径するように加圧し、外周が前記開放縁、内周が前記折り返し縁となる環状補強材を成型する第３工程と、
を有することを特徴とする環状補強材の製造方法。
【請求項７】
請求項６に記載の環状補強材の製造方法であって、
前記帯体は、前記第１帯の側縁側に前記第１帯と前記第２帯の折り畳み方向に折りたたまれた第３帯を有し、前記第２帯の側縁側に前記第１帯と前記第２帯の折り畳み方向に折りたたまれた第４帯を有することを特徴とする環状補強材の製造方法。
【請求項８】
請求項６または請求項７に記載の環状補強材の製造方法であって、
前記第３工程において、前記折り返し縁と略同径の円筒状治具に用い、前記円筒状治具に前記環状体を外嵌し、前記環状体の前記開放縁を外側に開いて拡径するように加圧することを特徴とする環状補強材の製造方法。
【手続補正２】
【補正対象書類名】明細書
【補正対象項目名】０００１
【補正方法】変更
【補正の内容】
【０００１】
本発明は、取り付ける冷却ファンなどの機材を被服に取り付けるための機材取付け用穴を補強する環状補強材、同取付け構造及び同環状補強材の製造方法に関する。
【手続補正３】
【補正対象書類名】明細書
【補正対象項目名】０００３
【補正方法】変更
【補正の内容】
【０００３】
特に、冷却ファンは、被服の内外を連通する必要があるため、機材を被服に開口した取付け穴に着脱自在に取り付ける構造が一般的である。機材取付け用穴は、所定の重量を有する機材を確実に固定するため、下記特許文献１のような補強用のリング板及び裏地を取り付けた、冷却ファン付被服が提案されている。
【手続補正４】
【補正対象書類名】明細書
【補正対象項目名】０００５
【補正方法】変更
【補正の内容】
【０００５】
上記の特許文献１に開示される冷却ファン付被服は、被服生地並びに裏地それぞれについて、取り付け穴の周囲に放射状の切り込みを入れて、放射状にできる折り返し片を折り返し、機材取り付け用穴周辺を厚く補強して、冷却ファンを確実に取り付けられる構造としている。
【手続補正５】
【補正対象書類名】明細書
【補正対象項目名】０００６
【補正方法】変更
【補正の内容】
【０００６】
しかしながら、たとえ機材取付け用穴の周縁ぎりぎりを縫製したとしても、同穴の内縁において被服生地と裏地とが二層構造になった端部が露出することになり、冷却ファンの着脱を繰り返すうちに、これら端部と冷却ファンとが摩耗してしまう脆弱性があった。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、上記目的を達成するための本発明の機材の被服布地への取付け構造は、被服に開口した前記機材取付け用穴と、前記機材取付け用穴の周縁を覆う、平状の環状補強材であって、前記被服の外側に位置する第１補強環と、内縁を折り返し縁として前記第１補強環と連続する、前記被服の内側に位置する第２補強環と、前記第１補強環の外周部が前記第２補強環側に折り込まれた第３補強環と、前記第２補強環の外周部が前記第１補強環側に折り込まれた第４補強環と、からなる前記環状補強材と、前記第３補強環と前記第４補強環との間に、前記機材取付け用穴を囲むように配置されるリング板と、を有することを特徴とする。
【手続補正８】
【補正対象書類名】明細書
【補正対象項目名】００１２
【補正方法】変更
【補正の内容】
【００１２】
本発明の被服の機材取付け用穴の環状補強材によれば、簡単な構造で被服に開口した機材取付け用穴の周縁を確実に覆うことができる。
【手続補正９】
【補正対象書類名】明細書
【補正対象項目名】００３２
【補正方法】変更
【補正の内容】
【００３２】
両者のネジを締めていくことで、係合リング32上面の第２係合面32ａとファン本体31の第１係合面31ａが近接していく。すなわち、第１係合面31ａと第２係合面32ａとの間に環状補強材１を介して、表地材21及び裏地材22が圧接されることで、冷却ファン30は被服100に確実に取り付けられることとなる。
【手続補正１０】
【補正対象書類名】明細書
【補正対象項目名】００３３
【補正方法】変更
【補正の内容】
【００３３】
図４に、冷却ファン30が被服100に取り付けられた状態の構造を断面状態で示す。表地材21と裏地材22とを重ねた部分に、機材取付け用穴24が開口される。そして、折り返し縁１ａが位置し、第１補強環が表地材21側に位置し、第２補強環が裏地材22側に位置するように、環状補強材１が機材取付け用穴24の周縁内に配置される。
【手続補正１１】
【補正対象書類名】明細書
【補正対象項目名】００３６
【補正方法】変更
【補正の内容】
【００３６】
冷却ファン30が、ファン本体31の下部31ｂを機材取付け用穴24に裏地材22側から被服100に取り付けられると、ファン本体31の第１係合面31ａが環状補強材１の第２補強環１Ｂに、係合リング32の第２係合面32ａが環状補強材１の第１補強環１Ａと圧接する。